(57)【要約】【課題】ＣＤ−ＤＡと、ＭＰＥＧ方式で圧縮されたデータを記録したＣＤ−ＲＯＭとを再生可能なディスク再生装置において、オーディオ信号に加わるノイズ及び消費電力を低減する。【解決手段】ＣＤ方式に応じた復調処理及び誤り訂正処理を行う第１信号処理手段６と、ＭＰＥＧ方式に応じた複号処理を行う第２信号処理手段２１と、第２信号処理手段２１を駆動するクロックパルスを発生する発信器２６とを具えたディスク再生装置において、ディスク再生装置のオーディオ出力を、第１信号処理手段６の出力と第２信号処理手段２１のオーディオ出力との間で切替え可能な第１スイッチ３１と、発信器２６から第２信号処理手段２１へのクロックパルスの供給を停止可能な第２スイッチ３２とを具えており、ディスク１がＣＤ−ＤＡである場合、第１信号処理手段６の出力をオーディオ出力とし、発信器２６から第２信号処理手段２１へのクロックパルスの供給を停止する。【選択図】    図１
2004185730.tif 000002
【特許請求の範囲】
【請求項１】
ディスク（１）から読み出された信号に対してＣＤ方式に応じた復調処理及び誤り検出訂正処理を行う第１信号処理手段（６）と、前記第１複号手段（６）で処理された信号に対してＭＰＥＧ方式に応じた複号処理を行う第２信号処理手段（２１）と、前記第２信号処理手段（２１）を駆動するクロックパルスを発生する発信器（２６）とを具えたディスク再生装置において、
前記ディスク再生装置のオーディオ出力を、前記第１信号処理手段（６）の出力と前記第２信号処理手段（２１）の出力との間で切替え可能な第１スイッチ（３１）と、前記発信器（２６）から前記第２信号処理手段（２１）へのクロックパルスの供給を停止可能な第２スイッチ（３２）とを具え、
前記ディスク（１）がＣＤ−ＤＡである場合、前記第１信号処理手段（６）の出力を前記オーディオ出力とし、前記発信器（２６）から前記第２信号処理手段（２１）へのクロックパルスの供給を停止することを特徴とするディスク再生装置。
【請求項２】
前記ディスク（１）がＣＤ−ＲＯＭである場合、前記第２信号処理手段（２１）の出力を前記オーディオ出力とし、前記発信器（２６）から前記第２信号処理手段（２１）へクロックパルスを供給し、前記ディスク（１）に記録されたデータがＭＰＥＧ方式のデータであるか否かを判定する請求項１に記載のディスク再生装置。
【請求項３】
前記ディスク（１）の判別を、ＴＯＣのＱコードのコントロールビットに基づいて行う請求項１又は請求項２に記載のディスク再生装置。
【請求項４】
ディスク再生装置に装着されたディスク（１）が、ＣＤ−ＤＡであるか、又はＣＤ−ＲＯＭであるかを判別する第１工程と、
前記ディスク（１）がＣＤ−ＤＡである場合、ＣＤ方式に応じた復調処理及び誤り検出訂正処理を行う第１信号処理手段（６）の出力を、前記ディスク再生装置のオーディオ出力とし、ＭＰＥＧ方式に応じた複号処理を行う第２信号処理手段（２１）へのクロックパルスの供給を停止する第２工程と、
前記ディスク（１）がＣＤ−ＲＯＭである場合、前記第２信号処理手段（２１）の出力を前記オーディオ出力とし、前記第２信号処理手段（２１）へクロックパルスを供給する第３工程と、
前記第３工程後、前記ディスク（１）に記録されたデータがＭＰＥＧ方式のデータであるか否かを判定する第４工程とを含むディスク再生方法。
【発明の詳細な説明】
【０００１】
【発明が属する技術分野】
本発明は、オーディオデータを記録したＣＤ−ＤＡ、及びＭＰＥＧ方式で圧縮されたオーディオデータ・ビデオデータを記録したＣＤ−ＲＯＭを再生可能なディスク再生装置に関する。
【０００２】
【従来の技術】
ＭＰＥＧ１（Ｍｏｖｉｎｇ  Ｐｉｃｔｕｒｅ  Ｉｍａｇｅ  Ｃｏｄｉｎｇ  Ｅｘｐｅｒｔｓ  Ｃｒｏｕｐ  １）方式で圧縮されたオーディオデータ及びビデオデータが記録されたビデオＣＤは、該方式で圧縮されたデータがＣＤ−ＲＯＭに記録されたものである。周知のように、ＣＤ−ＲＯＭには、オーディオデータが記録されるＣＤ−ＤＡと同じくＣＤ方式に基づいてデータが記録されている。このようなビデオＣＤ、及びＭＰ３（ＭＰＥＧ  Ａｕｄｉｏ  Ｌａｙｅｒ  −  ３）方式で圧縮されたオーディオデータが記録されたＣＤ−ＲＯＭを再生可能なディスク再生装置は、ＣＤ−ＤＡ再生装置にＭＰＥＧデコーダを付加する形態で実現されており、ＣＤ−ＤＡも再生可能に構成されている。
【０００３】
図４は、従来のディスク再生装置のブロック図を示したものである。再生されるディスク（１）は、スピンドルモータ（３）が連結されたターンテーブル（２）に装着される。光ピックアップユニット（４）は、スピンドルモータ（３）の駆動に伴い回転したディスク（１）にレーサ光を照射して、ディスク（１）に記録されたデータを読み出して、電気信号として出力する。光ピックアップユニット（４）からの電気信号はＲＦアンプ（５）を介してＣＤデジタルシグナルプロセッサ（６）（以下、「ＣＤ−ＤＳＰ」と称す）に送られる。ＣＤ−ＤＳＰ（６）は、ＥＦＭ復調部（７）、誤り検出・訂正部（８）、及びＱコード復調部（１０）を含んでいる。ＲＦアンプ（５）から送られた信号は、ＥＦＭ復調処理及び誤り検出・訂正処理を施されて、ＭＰＥＧデコードプロセッサ（２１）に送られる。Ｑコード復調部（１０）で分離されたＱコードは、システムコントローラ（５１）に送られて各種制御に利用される。ＣＤ−ＤＳＰ（６）には、これを駆動するために必要なクロックパルスを発生させる第１発振器（１１）が設けられており、ＭＰＥＧデコードプロセッサ（２１）にも、同様な第２発振器（２６）が設けられている。ＭＰＥＧデコードプロセッサ（２１）を動作させるために必要なクロックパルスの周波数は、ＣＤ−ＤＳＰ（６）よりも高いために、第２発振器（２６）の発振周波数は第１発振器（１１）よりも高くなっている。
【０００４】
ディスク（１）がビデオＣＤである場合、ＭＰＥＧデコードプロセッサ（２１）は、ＣＤ−ＤＳＰ（６）から得られた信号を複号及びアナログ化して、ビデオ信号及びオーディオ信号を出力する。ディスク（１）がＭＰ３方式のデータが記録されたＣＤ−ＲＯＭである場合、ＭＰＥＧデコードプロセッサ（２１）はオーディオ信号のみを出力する。ディスク（１）がＣＤ−ＤＡである場合、ＭＰＥＧデコードプロセッサ（２１）内のＭＰＥＧデコーダ（２２）は複号処理を行わず、ＣＤ−ＤＳＰ（６）からの信号は、ＭＰＥＧデコードプロセッサ（２１）のオーディオＤ／Ａコンバータ（２４）でアナログ化されてオーディオ出力端子（４１）に送られる。
【０００５】
【特許文献１】
特開平７−２６２６９１号公報
【０００６】
【発明が解決しようとする課題】
図４に示すような、ＣＤ−ＤＳＰ（６）の後段にＭＰＥＧデコードプロセッサ（２１）が配置されたディスク再生装置では、再生されるデイスク（１）がＣＤ−ＤＡである場合でも、ＭＰＥＧデコードプロセッサ（２１）が常に動作する。ＭＰＥＧデコードプロセッサ（２１）を駆動されると、第２発振器（２６）の発振周波数は高いため、ＭＰＥＧデコードプロセッサ（２１）から不要輻射が顕著に発生する。ゆえに、再生されるデイスク（１）がＣＤ−ＤＡである場合、オーディオ信号が線路を伝送する際にこの輻射に起因したノイズが発生して、再生時の音質が低下する問題があった。また、再生されるデイスク（１）がＣＤ−ＤＡである場合、ＭＰＥＧデコーダ（２２）が動作する必要はないので、無駄な電力が消費されていた。
【０００７】
本発明は、上記の問題を解決するためのものであり、オーディオデータを記録したＣＤ−ＤＡと、ＭＰＥＧ１やＭＰ３等のＭＰＥＧ方式で圧縮されたデータを記録したＣＤ−ＲＯＭとを再生可能なディスク再生装置において、ＣＤ−ＤＡを再生する場合に、オーディオ信号に加わるノイズを低減すること及び消費電力を低減することを目的とする。
【０００８】
【課題を解決するための手段】
本発明のディスク再生装置は、ディスクから読み出された信号に対してＣＤ方式に応じた復調処理及び誤り訂正検出処理を行う第１信号処理手段と、前記第１複号手段で処理された信号に対してＭＰＥＧ方式に応じた複号処理を行う第２信号処理手段と、前記第２信号処理手段を駆動するクロックパルスを発生する発信器とを具えたディスク再生装置において、前記ディスク再生装置のオーディオ出力を、前記第１信号処理手段の出力と前記第２信号処理手段の出力との間で切替え可能な第１スイッチと、前記発信器から前記第２信号処理手段へのクロックパルスの供給を停止可能な第２スイッチとを具え、前記ディスクがＣＤ−ＤＡである場合、前記第１信号処理手段の出力を前記オーディオ出力とし、前記発信器から前記第２信号処理手段へのクロックパルスの供給を停止することを特徴とする。
【０００９】
また、本発明のディスク再生方法は、ディスク再生装置に装着されたディスクが、ＣＤ−ＤＡであるか、又はＣＤ−ＲＯＭであるかを判別する第１工程と、前記ディスクがＣＤ−ＤＡである場合、ＣＤ方式に応じた復調処理及び誤り訂正処理を行う第１信号処理手段の出力を、前記ディスク再生装置のオーディオ出力とし、ＭＰＥＧ方式に応じた複号処理を行う第２信号処理手段へのクロックパルスの供給を停止する第２工程と、前記ディスクがＣＤ−ＲＯＭである場合、前記第２信号処理手段の出力を前記オーディオ出力とし、前記第２信号処理手段へクロックパルスを供給する第３工程と、前記第３工程後、前記ディスクに記録されたデータがＭＰＥＧ方式のデータであるか否かを判定する第４工程とを含む。
【００１０】
【作用及び効果】
再生するディスクがＣＤ−ＤＡである場合、第１信号処理手段の出力をディスク再生装置のオーディオ出力とすることで、ディスク再生装置は、ディスクに記録されたデータをオーディオ信号に変換して出力する。発信器から第２信号処理手段へのクロックパルスの供給を停止することにより、第２信号処理手段は駆動されないので、第２信号処理手段からの不要輻射は発生しない。従って、発信器、さらには第２信号処理手段に起因したノイズが、出力されるオーディオ信号に生ずることはなく、ディスクがＣＤ−ＤＡである場合に極めて高い音質でディスクを再生できる。
【００１１】
さらに、ディスクがＣＤ−ＲＯＭである場合に、第２信号処理手段の出力をオーディオ出力とし、第２信号処理手段へクロックパルスを供給し、ディスクに記録されたデータがＭＰＥＧ方式のデータであるか否かを判定することにより、ディスク再生装置は、ＭＰＥＧ方式のデータが記録されたＣＤ−ＲＯＭを再生できる。ディスクがＣＤ−ＤＡであるか、又はＣＤ−ＲＯＭであるかは、ＴＯＣのＱコードのコントロールビットに基づいて判別可能である。
【００１２】
【発明の実施の形態】
以下、本発明の実施例を図を用いて説明する。図１は、本発明のディスク再生装置のブロック図を示したものである。再生されるディスク（１）はターンテーブル（２）に装着される。ターンテーブル（２）にはスピンドルモータ（３）が連結されており、スピンドルモータ（３）が駆動することによりディスク（１）が回転する。光ピックアップユニット（４）は、固体レーザ素子、対物レンズ、対物レンズ駆動用アクチュエータ、及び受光素子等を具えており、回転中のディスク（１）にレーザ光を照射し、ディスク（１）の記録面で反射された光を検出することで、ディスク（１）からのデータの読出しが行われる。光ピックアップユニット（４）は、ディスク（１）の半径方向に沿って移動可能に構成されており、サーボ制御部（図示せず）によって、スピンドルモータ（３）及び光ピックアップユニット（４）の動作制御が行われる。
【００１３】
光ピックアップユニット（４）が検出した反射光は、電気信号に変換されてＲＦアンプ（５）に送られる。ＲＦアンプ（５）で増幅及び２値化された信号は、ＣＤ−ＤＳＰ（６）に送られる。ＣＤ−ＤＳＰ（６）は、ＥＦＭ復調部（７）、誤り検出・訂正部（８）、Ｄ／Ａコンバータ（９）、及びＱコード復調部（１０）を含んでいる。また、上記のサーボ制御部もＣＤ−ＤＳＰ（６）に含まれている。第１発振器（１１）は、発振周波数が１６．９３４４ＭＨｚである水晶発振器であり、ＣＤ−ＤＳＰ（６）を駆動するために必要なクロックパルスを発生している。
【００１４】
ＲＦアンプ（５）から送られた信号は、ＥＦＭ復調部（７）においてＥＦＭ復調処理を施されて、誤り検出・訂正部（８）及びＱコード復調部（１０）に送られる。Ｑコード復調部（１０）は、信号からサブコーディングを復調してＱコードを分離する。得られたＱコードはシステムコントローラ（５１）に送られる。
【００１５】
誤り検出・訂正部（８）は、入力された信号にＣＩＲＣ復調処理等の誤り検出・訂正処理を施す。誤り検出・訂正部（８）から出力された信号は、ＭＰＥＧデコードプロセッサ（２１）に送られ、また、Ｄ／Ａコンバータ（９）でアナログ化された後、第１スイッチ（３１）に送られる。第１スイッチ（３１）は、オーディオ出力端子（４１）の出力を、ＣＤ−ＤＳＰ（６）の出力と後述するＭＰＥＧデコードプロセッサ（２１）のオーディオ出力との間で切り替えるものである。再生されるディスク（１）がＣＤ−ＤＡである場合、オーディオ信号がＣＤ−ＤＳＰ（６）から第１スイッチ（３１）に送られる。第１スイッチ（３１）が、ＣＤ−ＤＳＰ（６）側、すなわち、図１に示すａ側に切り替わっている場合に、ＣＤ−ＤＳＰ（６）からのオーディオ信号がオーディオ出力端子（４１）に送られる。
【００１６】
ＭＰＥＧデコードプロセッサ（２１）は、入力された信号がＭＰＥＧ方式で圧縮されたデータ信号である場合に、該データ信号を複号するＭＰＥＧデコーダ（２２）を具えている。再生されるディスク（１）がビデオＣＤである場合、ＭＰＥＧデコーダ（２２）は、入力されたデータ信号を、ＭＰＥＧビデオデータ信号とＭＰＥＧオーディオデータ信号に分離して複号する。そして、ＭＰＥＧデコーダ（２２）は、ビデオ信号とオーディオ信号を、これらの同期を取りながら出力する。ＭＰＥＧデコードプロセッサ（２１）にはＲＡＭ（２５）が接続されており、ＭＰＥＧデコーダ（２２）の複号処理においてデータの一時格納用として使用される。
【００１７】
ビデオ信号は、ビデオＤ／Ａコンバータ（２３）でアナログ化された後にビデオ出力端子（４２）に送られる。オーディオ信号は、オーディオＤ／Ａコンバータ（２４）でアナログ化された後に、第１スイッチ（３１）に送られる。第１スイッチ（３１）が、ＭＰＥＧデコードプロセッサ（２１）側、すなわち、図１に示すｂ側に切り替わっている場合に、ＭＰＥＧデコードプロセッサ（２１）からのオーディオ信号がオーディオ出力端子（４１）に送られる。再生されるディスク（１）がＭＰ３方式で圧縮されたオーディオデータを記録したＣＤ−ＲＯＭである場合には、ＭＰＥＧデコーダ（２２）は、ＭＰＥＧオーディオデータ信号を複号して、オーディオ信号のみを出力する。
【００１８】
第２発信器（２６）は、発振周波数が２７ＭＨｚである水晶発振器であり、ＭＰＥＧデコードプロセッサ（２１）を駆動するために必要なクロックパルスを発生している。第２スイッチ（３２）が、ＭＰＥＧデコードプロセッサ（２１）と第２クロック発生器（２６）の間に挿入されており、第２スイッチ（３２）がＯＦＦの場合、第２発振器（２６）からのクロックパルスはＭＰＥＧデコードプロセッサ（２１）に入力されず、ＭＰＥＧデコードプロセッサ（２１）は駆動しない。
【００１９】
システムコントローラ（５１）は、本実施例のディスク再生装置の統括的な制御を行う。システムコントローラ（５１）には、使用者が装置に対して再生動作や停止動作等を指令するために用いる操作部（５２）と、装置の動作モードや再生時間等の各種情報を表示する表示部（５３）が接続されている。Ｑコード復調部（１０）で分離されたＱコードは、システムコントローラ（５１）に入力される。システムコントローラ（５１）は、Ｑコードのコントロールコードに基づいてディスク（１）の種類を判定し、第１スイッチ（３１）及び第２スイッチ（３２）の切替えを行う。
【００２０】
図２は、本実施例のディスク再生装置におけるシステムコントローラ（５１）の処理を示すフローチャートである。本フローチャートは、使用者が装置にディスク（１）を装着してからディスク（１）の再生動作が開始されるまでの処理を示している。操作部（５２）の再生動作の開始を指令する釦が押されると、システムコントローラ（５１）は、ディスク（１）の最内周領域に記録されているＴＯＣ（Ｔａｂｌｅ  ｏｆ  Ｃｏｎｔｅｎｔｓ）を読み出すように、ＣＤ−ＤＳＰ（６）に対して指令する（Ｓ１）。ＣＤ−ＤＳＰ（６）のサーボ制御部は、スピンドルモータ（３）を駆動させてディスク（１）を回転させると共に、光ピックアック（４）をディスク（１）の最内周領域近傍に移動させる。光ピックアック（４）は、ディスク（１）の外周側へ適宜移動しつつ該領域にレーザ光を照射し、反射光を電気信号に変換する。信号は、光ピックアップ（４）からＲＦアンプ（５）を介してＣＤ−ＤＳＰ（６）に送られる。そして、ＣＤ−ＤＳＰ（６）からシステムコントローラ（５１）に、ディスク（１）のＴＯＣのＱコードが送られる。
【００２１】
図３に、ＴＯＣのＱコードのフレーム構造を示す。最初の４ビット、すなわちＱ１〜Ｑ４はコントロールビットであり、ディスク（１）の判別に使用される。ディスク（１）がＣＤ−ＤＡである場合、Ｑ１〜Ｑ４は「００００」、「１０００」、「０００１」、又は「１００１」となっている。また、ディスク（１）がＣＤ−ＲＯＭである場合、Ｑ１〜Ｑ４は「０１００」となっている（ビデオＣＤも同様である）。従って、システムコントローラ（５１）が、入力されたＱコードのコントロールビットが「０１００」であるか否かを判別することによって、ディスク（１）がＣＤ−ＤＡであるか、又はＣＤ−ＲＯＭであるかが判別される（Ｓ２）。
【００２２】
ステップＳ２において、コントロールビットが「０１００」でない場合、すなわちディスク（１）がＣＤ−ＤＡである場合、システムコントローラ（５１）は、第１スイッチ（３１）をＣＤ−ＤＳＰ（６）側（図１に示すａ側）に設定し、第２スイッチ（３２）をＯＦＦにする（Ｓ３）。そして、システムコントローラ（５１）は、ディスク（１）の再生を開始する（Ｓ４）。第１スイッチ（３１）をＣＤ−ＤＳＰ（６）側に設定されているので、ＣＤ−ＤＳＰ（６）からのオーディオ信号は、オーディオ出力端子（４１）に送られる。第２スイッチ（３２）がＯＦＦになっているので、ＭＰＥＧデコードプロセッサ（２１）は駆動されない。従って、ＣＤ−ＤＳＰ（６）から出力されるオーディオ信号は、第２発信器（２７）及びＭＰＥＧデコードプロセッサ（２１）に起因した不要輻射の影響を受けることはない。また、ＭＰＥＧデコードプロセッサ（２１）が駆動されないので、ディスク再生装置の消費電力が低減される。
【００２３】
ステップＳ２において、コントロールビットが「０１００」である場合、すなわちディスク（１）がＣＤ−ＲＯＭである場合、システムコントローラ（５１）は、第１スイッチ（３１）をＭＰＥＧデコードプロセッサ（２１）側（図１に示すｂ側）に設定し、第２スイッチ（３２）をＯＮにする（Ｓ５）。これにより、ＭＰＥＧデコードプロセッサ（２１）が駆動され、ＭＰＥＧデコードプロセッサ（２１）からのオーディオ信号は、オーディオ出力端子（４１）に送られる。
【００２４】
ステップＳ２においてディスク（１）がＣＤ−ＲＯＭであると判別されても、ディスク（１）に記録されたデータがＭＰＥＧ方式で圧縮されていないケースもあり得る。システムコントローラ（５１）は、試験的にディスク（１）を再生する処理を行い（Ｓ６）、ＭＰＥＧデコーダ（２２）で処理されたデータに基づいて、ディスク（１）にＭＰＥＧ方式データが記録されているか否かを判定する（Ｓ７）。ディスク（１）にＭＰＥＧ方式の再生データが記録されている場合、すなわちディスク（１）がビデオＣＤ又はＭＰ３方式のデータが記録されたＣＤ−ＲＯＭである場合、システムコントローラ（５１）はディスク（１）の再生を開始する（Ｓ４）。ディスク（１）にＭＰＥＧ方式のデータが記録されていない場合、システムコントローラ（５１）は、ディスク（１）は再生不能と判断し、表示部（５３）にその旨が表示される（Ｓ８）。
【００２５】
上記実施例の説明は、本発明を説明するためのものであって、特許請求の範囲に記載の発明を限定し、或は範囲を減縮する様に解すべきではない。本発明の各部構成は上記実施例に限らず、特許請求の範囲に記載の技術的範囲内で種々の変形が可能であることは勿論である。
【図面の簡単な説明】
【図１】本発明に係るディスク再生装置のブロック図である。
【図２】本発明に係るシステムコントローラの処理を示すフローチャートである。
【図３】ＴＯＣのＱコードのフレーム構造を示す。
【図４】従来のディスク再生装置のブロック図である。
【符号の説明】
（１）              ディスク
（６）              ＣＤデジタルシグナルプロセッサ
（７）              ＥＦＭ復調部
（８）              誤り検出・訂正部
（１０）        Ｑコード復調部
（１１）            第１発信器
（２１）      ＭＰＥＧデコードプロセッサ
（２２）            ＭＰＥＧデコーダ
（２６）            第２発信器
（３１）      第１スイッチ
（３２）      第２スイッチ
（５１）      システムコントローラ
【図１】
2004185730.tif 000003
【図２】
2004185730.tif 000004
【図３】
2004185730.tif 000005
【図４】
2004185730.tif 000006